Podtech/llm-jp-corpus-v4-ja_patent huggingface dataset:
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
端板構造を有するフロー電池システム用のスタックであって、前記端板構造が、
集電板、
前記集電板と接触し、流体マニホルドを含むガスケットフレーム、
前記ガスケットフレーム内のフェルト、
挿入部を受けるポケットを有する端板であって、該端板と前記ガスケットフレームの間に前記集電板が位置決めされる端板、及び
前記ガスケットフレームと前記フェルトの間の電解液の流れのためのトンネル構造を形成する、前記端板を伴う挿入部、を有している、スタック。
【請求項２】
流れ領域媒体及び該流れ領域媒体を隔てる熱伝達シートを備える電解液の熱交換器を有するフロー電池システムであって、
前記電解液の熱交換器を通して電解液及び熱交換流体を流すことができる、フロー電池システム。
【請求項３】
初期化状態、
ESPドングル初期化状態、
充電状態、
放電状態、
フロート状態、
休止状態、及び
機能停止状態、を含むコードを実行する制御器を有するフローシステムであって、
前記状態間で移行が行われるようになっている、フローシステム。
【請求項４】
一つ以上の個々のフロー電池を含み、前記フロー電池の各々が、膜によって隔てられた第１の半電池及び第２の半電池によって形成されているスタック、
第１の電解液を保持する第１の電解液貯蔵タンク、
前記第１の半電池を通して前記第１の電解液を循環させるために、前記第１の電解液貯蔵タンクと前記第１の半電池の間に連結された第１のポンプ、
第２の電解液を保持する第２の電解液貯蔵タンク、
前記第２の半電池を通して前記第２の電解液を循環させるために、前記第２の電解液貯蔵タンクと前記第２の半電池の間に連結された第２のポンプ、
前記第１の半電池から前記第１の電解液を受け取るために連結された第１の電解液の熱交換器、及び
前記第２の半電池から前記第２の電解液を受け取るために連結された第２の電解液の熱交換器、を備えるフロー電池システムであって、
前記第１の電解液の熱交換器及び前記第２の電解液の熱交換器の各々が、
複数の流れ領域媒体、
前記複数の流れ領域媒体の各々を隔てる熱伝達シート、
前記複数の流れ領域媒体の第１の組を通して冷却液を流すために連結された制御システム、
前記複数の流れ領域媒体及び該複数の流れ領域媒体を隔てる前記熱伝達シートが、定位置に固定して保持され、電解液と前記冷却液の交換に対して密閉される、第１の圧力板及び第２の圧力板、及び
前記第１の圧力板と前記複数の流れ領域媒体のうち最初の流れ領域媒体の間に挿入された第１のガスケット、並びに、前記第２の圧力板と前記複数の流れ領域媒体のうち最後の流れ領域媒体の間に挿入された第２のガスケット、を含んでいる、フロー電池システム。
【請求項５】
前記制御システムが冷却ポンプを含んでいる、請求項４に記載のフロー電池システム。
【請求項６】
前記複数の流れ領域媒体の第２の組を通して電解液が流される、請求項４に記載のフロー電池システム。
【請求項７】
前記複数の流れ領域媒体の前記第１の組の各流れ領域が、前記複数の流れ領域媒体の前記第１の組の次の流れ領域によって及び前記複数の流れ領域媒体の前記第２の組の一つによって隔てられている、請求項６に記載のフロー電池システム。
【請求項８】
前記第１の圧力板、前記第２の圧力板、前記第１のガスケット、前記第２のガスケット、前記複数の流れ領域媒体、及び前記熱伝達シートが、前記第１の圧力板及び前記第２の圧力板内の整列孔を通したタイロッド並びにばねの組によって圧力がかけられて保持されている、請求項４に記載のフロー電池システム。
【請求項９】
前記複数の流れ領域媒体の前記第２の組を通して電解液を受け取って送る第１のマニホルド、及び、前記複数の流れ領域媒体の前記第１の組を通して冷却液を受け取って送る第２のマニホルドをさらに含んでいる、請求項４に記載のフロー電池システム。
【請求項１０】
前記熱伝達シートが、プラスチック材料で製造されている、請求項９に記載のフロー電池システム。
【請求項１１】
前記複数の流れ領域媒体が、軟質のサントプレーンで製造されている、請求項１０に記載のフロー電池システム。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
照明ユニットによって提供される照光を制御するための制御装置であって、
第１の音のパラメータの値を取得し、
第２の音のパラメータの値を取得し、
少なくとも前記第２の音の前記パラメータの前記値に前記パラメータの基準値を基づかせ、
前記パラメータの前記基準値からの前記第１の音の前記パラメータの前記値の偏差を求め、
前記偏差に基づいて前記照光を調節し、
前記制御装置は、更に、
前記パラメータのしきい値を取得し、
前記第１の音の前記パラメータの前記値を前記パラメータの前記しきい値と比較し、
前記第１の音の前記パラメータの前記値が前記しきい値よりも高い場合にのみ前記照光を調節する、制御装置。
【請求項２】
第３の音のパラメータの値を取得し、
更に前記第３の音の前記パラメータの前記値に前記パラメータの前記基準値を基づかせる、請求項１に記載の制御装置。
【請求項３】
前記第１の音の前記パラメータの前記値には前記パラメータの前記基準値を基づかせない、請求項１又は２に記載の制御装置。
【請求項４】
前記第２の音の前記パラメータの前記値を前記パラメータの前記しきい値と比較し、
前記第２の音の前記パラメータの前記値が前記しきい値よりも高い場合には、前記第２の音の前記パラメータの前記値には前記パラメータの前記基準値を基づかせない、請求項２又は３に記載の制御装置。
【請求項５】
前記パラメータの前記基準値を基づかせることが、少なくとも前記第２の音の前記パラメータの前記値を含む、前記制御装置によって取得された前記音の前記パラメータの前記値の平均値を求めることを含む、請求項１乃至４のいずれか一項に記載の制御装置。
【請求項６】
前記照光を調節することが、照光色温度、照光強度、照光方向、及び照光パターンの１つ又は組合せを調節することを含む、請求項１乃至５のいずれか一項に記載の制御装置。
【請求項７】
前記偏差に基づいて前記照光を調節することが、前記偏差に比例して前記照光を調節することを含む、請求項１乃至６のいずれか一項に記載の制御装置。
【請求項８】
前記制御装置が、前記第１の音の前記パラメータの前記値の取得又は前記第２の音の前記パラメータの前記値の取得と前記照光の前記調節との間の遅延時間の経過後に、前記照光の調節を開始する、請求項１乃至７のいずれか一項に記載の制御装置。
【請求項９】
前記第１の音の前記パラメータの前記値を取得することと、
前記パラメータの前記基準値からの前記第１の音の前記パラメータの前記値の偏差を求めることと、
前記偏差に基づいて前記照光を調節することと、
を少なくともそれぞれ含む連続するサイクルを実施する、請求項１乃至８のいずれか一項に記載の制御装置。
【請求項１０】
更なる照明ユニットによって提供される更なる照光を制御するための請求項１乃至９のいずれか一項に記載の制御装置であって、
少なくとも前記第１の音の前記パラメータの前記値に前記パラメータの更なる基準値を基づかせ、
前記パラメータの前記更なる基準値からの前記第２の音の前記パラメータの前記値の更なる偏差を求め、
前記更なる偏差に基づいて前記更なる照光を調節する、制御装置。
【請求項１１】
請求項１乃至９のいずれか一項に記載の制御装置と、
空間の第１の部分に前記照光を提供するための前記照明ユニットとを備える、照明システム。
【請求項１２】
前記空間の前記第１の部分で前記第１の音を検出するための第１の音響検出器を更に備える、請求項１１に記載の照明システム。
【請求項１３】
前記空間の第２の部分で前記第２の音を検出するための第２の音響検出器を更に備え、前記空間の前記第１の部分が、前記空間の前記第２の部分とは異なる、
請求項１１又は１２に記載の照明システム。
【請求項１４】
照明システムが、請求項１乃至９のいずれか一項に記載の更なる制御装置を更に備え、前記更なる制御装置が、照明ユニットによって提供される前記照光を制御するのではなく、更なる照明ユニットによって提供される更なる照光を制御するためのものであり、前記偏差が、更なる偏差であり、前記第１の音と前記第２の音が、前記更なる制御装置に関して交換され、
照明システムが、前記空間の第２の部分に前記更なる照光を提供するための前記更なる照明ユニットを更に備え、前記空間の前記第１の部分が、前記空間の前記第２の部分とは異なり、
照明システムが、前記空間の前記第２の部分で前記第２の音を検出するための第２の音響検出器を更に備える、
請求項１２に記載の照明システム。
【請求項１５】
前記空間内で前記第１の領域に指向性音声出力を提供するためのスピーカシステムを備える、請求項１１乃至１４のいずれか一項に記載の照明システム。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
電力供給源に接続する為の入力端子と、出力端子と、ＬＥＤ電流を生成する為の前記出力端子と前記入力端子との間に結合されたドライバ回路とを含み、電流制御信号を受信する為及び前記電流制御信号に依存して前記ＬＥＤ電流を生成する為の入力端子を備えたドライバ制御回路を含む前記電力供給回路と、
前記電力供給回路の前記出力端子に結合する為の入力端子と、前記入力端子間に結合されるＬＥＤ負荷と、第１の時間経過の継続時間中に第１の振幅を有する第１の部分を含む信号である前記電流制御信号を生成する為のモジュール制御回路とを含む少なくとも１つのＬＥＤモジュールであって、前記第１の時間経過の継続時間は、前記ＬＥＤ電流の所望の大きさを表し、前記モジュール制御回路は、前記ドライバ制御回路の前記入力端子への前記電流制御信号の交流結合を含む、前記少なくとも１つのＬＥＤモジュールと、
を有する、
ＬＥＤ照明システム。
【請求項２】
前記電流制御信号は、温度依存性である、請求項１に記載のＬＥＤ照明システム。
【請求項３】
前記電流制御信号の温度依存性は、前記電流制御信号が第２の時間経過の継続時間中に第２の振幅を有する第２の部分を含み、前記第２の時間経過の継続時間は、前記ＬＥＤモジュール内のＬＥＤの温度を表す、請求項２に記載のＬＥＤ照明システム。
【請求項４】
前記電流制御信号は、周期的信号であり、各周期は、請求項１又は２に従属する場合、前記電流制御信号の前記第１の部分を含み、又は請求項３に従属する場合、前記電流制御信号の前記第１の部分及び第２の部分を含む、請求項１、２又は３に記載のＬＥＤ照明システム。
【請求項５】
前記モジュール制御回路は、前記ＬＥＤ電流の所望の大きさを表す抵抗を持つ第１のレジスタを含み、前記モジュール制御回路は、前記第１のレジスタに結合された前記電流制御信号の前記第１の部分を生成する為のタイマー回路を含み、前記第１の時間経過の継続時間は、前記第１のレジスタの抵抗の関数である、請求項１、２又は３に記載のＬＥＤ照明システム。
【請求項６】
前記モジュール制御回路は、温度依存性抵抗を持つ第２のレジスタを含み、前記第２のレジスタは、前記タイマー回路に結合され、前記タイマー回路は、前記電流制御信号の前記第２の部分を生成するのに適しており、前記第２の時間経過の継続時間は、前記第２のレジスタの抵抗の関数である、請求項３に従属する場合の請求項５に記載のＬＥＤ照明システム。
【請求項７】
少なくとも２つのＬＥＤモジュールを含み、前記ドライバ制御回路は、前記ＬＥＤモジュールによって生成される、重畳された交流結合された周期的電流制御信号によって形成される合成信号から、前記ＬＥＤモジュールの各ＬＥＤモジュールによって生成される前記周期的電流制御信号を導き出す為の回路網を備える、
請求項４に記載のＬＥＤ照明システム。
【請求項８】
前記ドライバ制御回路は、前記ＬＥＤモジュールの前記ＬＥＤ電流の所望の大きさを前記合成信号から導き出す為の回路網を備える、
請求項７に記載のＬＥＤ照明システム。
【請求項９】
前記モジュール制御回路は、前記第１の部分の直後に前記電流制御信号の第２の部分を生成する為の回路網を備え、前記ドライバ制御回路は、前記合成信号から前記ＬＥＤモジュール内のＬＥＤの温度を決定する為の回路網を含む、請求項４が請求項３に従属する場合の請求項８に記載のＬＥＤ照明システム。
【請求項１０】
可能な限り最長の前記電流制御信号の前記第１の部分よりも長い遅延時間であって、前記電流制御信号の前記第１の部分と同時に始まる前記遅延時間後に、前記電流制御信号の前記第２の部分を生成する為に、前記ＬＥＤモジュールの前記モジュール制御回路を作動させる為の回路網を含み、前記ドライバ制御回路は、前記合成信号における第２の時間経過から前記ＬＥＤモジュール内のＬＥＤの温度を導き出す為の回路網を含む、請求項４が請求項３に従属する場合の請求項８に記載のＬＥＤ照明システム。
【請求項１１】
前記ＬＥＤモジュールが並列に配置される場合、前記ドライバ制御回路は、第１の電流制御信号の第１の時間経過の継続時間によって表される前記ＬＥＤ電流の所望の大きさの合計に依存して、前記ＬＥＤモジュールに供給される全ＬＥＤ電流を決定する為の回路網を含む、請求項７、８、９又は１０に記載のＬＥＤ照明システム。
【請求項１２】
前記ＬＥＤモジュールが直列に配置される場合、前記ドライバ制御回路は、第１の電流制御信号の第１の時間経過の継続時間によって表される前記ＬＥＤ電流の最小の所望の大きさに依存して、前記ＬＥＤモジュールに供給される全ＬＥＤ電流を決定する為の回路網を含む、請求項７、８、９又は１０に記載のＬＥＤ照明システム。
【請求項１３】
前記ドライバ制御回路は、前記電流制御信号の第２の部分の内の１つ又は複数が少なくとも１つのＬＥＤモジュールの温度が高過ぎる事を示す場合に前記全ＬＥＤ電流を低下させる為の回路網を含む、請求項４が請求項３に従属する場合の請求項１１又は１２に記載のＬＥＤ照明システム。
【請求項１４】
前記モジュール制御回路は、前記結合端子と直列に温度依存性インピーダンスを含み、前記ドライバ制御回路は、前記ドライバ制御回路の前記入力端子において受信される前記電流制御信号の振幅に依存して、前記ＬＥＤ電流を調整する為の回路網を含む、請求項２に記載のＬＥＤ照明システム。
【請求項１５】
電力供給回路に含まれるドライバ回路を用いて、ＬＥＤ負荷を含む少なくとも１つのＬＥＤモジュールを動作させる方法であって、
各ＬＥＤモジュールについて、第１の時間経過の継続時間中に第１の振幅を有する第１の部分を含む信号である電流制御信号を生成するステップであって、前記第１の時間経過の継続時間は、各ＬＥＤモジュールのＬＥＤ電流の所望の大きさを表すステップと、
交流結合によってドライバ制御回路の入力端子に前記電流制御信号を伝達するステップと、
前記電流制御信号に基づいて前記ドライバ制御回路を用いてＬＥＤ電流を生成し、前記ＬＥＤ電流を前記ＬＥＤ負荷に供給するステップと、
を含む、方法。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
(a)インジルビン粒子が2ミクロン未満の有効平均粒子径を有するインジルビンまたはその誘導体の粒子；および
(b)少なくとも１つの表面安定剤
を含むものであるナノ微粒子インジルビン組成物。
【請求項２】
ナノ微粒子インジルビン粒子の有効平均粒子径が1000nm未満である、請求項１に記載の組成物。
【請求項３】
ナノ微粒子インジルビン粒子の有効平均粒子径が500nm未満である、請求項１に記載の組成物。
【請求項４】
インジルビン粒子の少なくとも70％が有効平均粒子径未満の粒子径を有する、請求項１に記載の組成物。
【請求項５】
組成物が経口または静脈内投与用に製剤されている、請求項１に記載の組成物。
【請求項６】
組成物が１以上の製薬上許容される賦形剤、担体、またはそれらの組み合わせをさらに含むものである、請求項１に記載の組成物。
【請求項７】
他の賦形剤を含まない、インジルビンと少なくとも１つの表面安定剤の総組み合わせ乾重量に基づいて、インジルビンが80重量％〜99.9999重量％存在する、請求項１に記載の組成物。
【請求項８】
他の賦形剤を含まない、インジルビンと少なくとも１つの表面安定剤の総組み合わせ乾重量に基づいて、少なくとも１つの表面安定剤が0.0001重量％〜20重量％の量で存在する、請求項１に記載の組成物。
【請求項９】
少なくとも2つの表面安定剤を含む、請求項１に記載の組成物。
【請求項１０】
表面安定剤が陰イオン表面安定剤、陽イオン表面安定剤、双性イオン表面安定剤、および非イオン表面安定剤からなる群より選択される、請求項１に記載の組成物。
【請求項１１】
少なくとも１つの表面安定剤がポロキサマーである、請求項１に記載の組成物。
【請求項１２】
ポロキサマーがエチレンオキシドとプロピレンオキシドのブロックコポリマーからなる群より選択される、請求項１１に記載の組成物。
【請求項１３】
ポロキサマーがエチレンオキシドのブロックコポリマーである、請求項１１に記載の組成物。
【請求項１４】
2ミクロン超の有効平均粒子径を有するインジルビン組成物をさらに含むものである、請求項１に記載の組成物。
【請求項１５】
2ミクロン未満の有効平均粒子径を有する少なくとも１つの追加のナノ微粒子インジルビン組成物をさらに含み、ここで前記追加のナノ微粒子インジルビン組成物は請求項１に記載のナノ微粒子インジルビン組成物の有効平均粒子径と異なる有効平均粒子径を有するものである、請求項１に記載の組成物。
【請求項１６】
少なくとも１つの非インジルビン活性薬をさらに含むものである、請求項１に記載の組成物。
【請求項１７】
投与剤形が0.1（l/s）のせん断速度にて2000mPas未満の粘度を有する液体投与剤形に製剤されている、請求項１に記載の組成物。
【請求項１８】
投与すると組成物は再分散し、インジルビン粒子が2ミクロン未満の有効平均粒子径を有するようになる、請求項１に記載の組成物。
【請求項１９】
組成物は生物関連媒質中で再分散し、インジルビン粒子が2ミクロン未満の有効平均粒子径を有するようになる、請求項１に記載の組成物。
【請求項２０】
請求項１〜１９のいずれか1項のナノ微粒子インジルビン組成物を作製する方法であって、インジルビン粒子を少なくとも１つの表面安定剤と2ミクロン未満の有効平均粒子径を有するナノ微粒子インジルビン組成物を与えるのに十分な時間および条件のもとで接触させるステップを含むものである前記方法。
【請求項２１】
前記接触させるステップが粉砕するステップを含むものである、請求項２０に記載の方法。
【請求項２２】
前記粉砕するステップが湿式粉砕するステップを含むものである、請求項２１に記載の方法。
【請求項２３】
前記接触させるステップが均質化および乳濁化するステップを含むものである、請求項２０に記載の方法。
【請求項２４】
前記接触するステップが
(a)インジルビン粒子を溶媒に溶解するステップ；
(b)得られるインジルビン溶液を少なくとも１つの表面安定剤を含む溶液に加えるステップ、ならびに
(c)可溶化したインジルビンと少なくとも１つの表面安定剤を沈降させるステップ
を含むものである、請求項２０に記載の方法。
【請求項２５】
請求項１〜１９のいずれか1項に記載のナノ微粒子インジルビン組成物を含む、癌を治療するための医薬組成物。
【請求項２６】
請求項１〜１９のいずれか1項に記載のナノ微粒子インジルビン組成物を含む、炎症性疾患を治療するための医薬組成物。
【請求項２７】
請求項１〜１９のいずれか1項に記載のナノ微粒子インジルビン組成物を含む、神経変性障害を治療するための医薬組成物。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
バージンカーボンブラック（ｖＣＢ）の製造方法であって、前記ｖＣＢを製造するために、熱分解プロセスにより製造された熱分解油（ｐＯＩＬ）を処理する、方法。
【手続補正２】
【補正対象書類名】明細書
【補正対象項目名】００１８
【補正方法】変更
【補正の内容】
【００１８】
本出願の他の一態様においては、タイヤは、天然ゴム（ＮＲ）や、ＮＲを持続可能な原料とするスチレンブタジエン（ＳＢＲ）のような、ポリマーを主として含む。天然ゴムは、インドゴムや生ゴムとも呼ばれ、いくつかの植物から生産される乳状コロイドであるラテックスにもともと由来するエラストマー（ゴム状炭化水素ポリマー）である。従ってｐＯＩＬはある程度持続可能な油といえよう。
本出願の他の一態様においては、タイヤの熱分解プラントは二つのカーボンブラック製品を製造することができる。一つはタイヤ熱分解のプロセスによるｐＣＢで、ｐＯＩＬは揮発性分が極少量のｖＣＢを生産するために使われる。
【手続補正３】
【補正対象書類名】明細書
【補正対象項目名】００１９
【補正方法】変更
【補正の内容】
【００１９】
本発明は、以下を含む。
（１）  バージンカーボンブラック（ｖＣＢ）の製造方法であって、前記ｖＣＢを製造するために、熱分解プロセスにより製造された熱分解油（ｐＯＩＬ）を処理する、方法。
（２）  上記（１）に記載の方法であって、前記熱分解プロセスがタイヤ熱分解プロセスである方法。
（３）  上記（１）または（２）に記載の方法であって、異なる等級のカーボンブラックを製造するために前記ｐＯＩＬが処理される方法。
（４）  上記（１）〜（３）のいずれかに記載の方法であって、さらに、タイヤ熱分解プロセスから熱分解ガスを生産し、当該熱分解ガスを前記ｖＣＢの製造のための燃料／原材料として使用する、方法。
（５）  上記（１）〜（４）のいずれかに記載の方法であって、さらに、熱分解カーボンブラック（ｐＣＢ）を製造する、方法。
（６）  上記（１）〜（５）のいずれかに記載の方法であって、ｐＧＡＳをエネルギー源として使用し、ｐＣＢおよびｖＣＢを共同製造する方法。
（７）  上記（１）〜（６）のいずれかに記載の方法であって、６００℃から８００℃の温度にてｖＣＢの排ガス分離を行う、方法。
（８）  上記（１）〜（６）のいずれかに記載の方法であって、最低温度６００℃にてｖＣＢの排ガス分離を行う、方法。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
（１ｒ，１’Ｒ，４Ｒ）−４−メトキシ−５’’−メチル−６’−［５−（プロパ−１−イン−１−イル）ピリジン−３−イル］−３’Ｈ−ジスピロ［シクロヘキサン−１，２’−インデン−１’２’’−イミダゾール］−４’’−アミンのカンシル酸塩。
【化１】
2015520221.tif 000001
【請求項２】
該カンシル酸塩が、以下の非常に強い、強い、および中等度のｄ−値を有するピークを実質的に表す、粉末Ｘ線回折（ＸＲＰＤ）パターンを有することを特徴とする、（１ｒ，１’Ｒ，４Ｒ）−４−メトキシ−５’’−メチル−６’−［５−（プロパ−１−イン−１−イル）ピリジン−３−イル］−３’Ｈ−ジスピロ［シクロヘキサン−１，２’−インデン−１’２’’−イミダゾール］−４’’−アミンのカンシル酸塩：
【化２】
2015520221.tif 000002
【表１】
2015520221.tif 000003
【請求項３】
該カンシル酸塩が、本質的に図１に示す粉末Ｘ線回折パターンを有することを特徴とする、（１ｒ，１’Ｒ，４Ｒ）−４−メトキシ−５’’−メチル−６’−［５−（プロパ−１−イン−１−イル）ピリジン−３−イル］−３’Ｈ−ジスピロ［シクロヘキサン−１，２’−インデン−１’２’’−イミダゾール］−４’’−アミンのカンシル酸塩。
【化３】
2015520221.tif 000004
【請求項４】
有効成分として治療有効量の請求項１〜３のいずれか１項に記載の塩を、少なくとも１つの薬学的に許容される賦形剤、担体、または希釈剤と共に含む医薬組成物。
【請求項５】
医薬として用いるための、請求項１〜３のいずれか１項に記載の塩。
【請求項６】
Ａβ関連の病態を処置または防止するための医薬として使用するための、請求項５に記載の塩。
【請求項７】
前記Ａβ関連の病態は、ダウン症候群、β−アミロイド血管障害、脳アミロイド血管障害、遺伝性脳出血、認知障害に関連する障害、ＭＣＩ（「軽度認知障害」）、アルツハイマー病、物忘れ、アルツハイマー病に関連する注意欠陥症状、アルツハイマー病に関連する神経変性、混合血管起源の認知症、変性起源の認知症、初老期認知症、老年認知症、パーキンソン病に関連する認知症、進行性核上性麻痺、または皮質基底変性症である、Ａβ関連の病態を処置または防止するための医薬として使用するための、請求項６に記載の塩。
【請求項８】
アルツハイマー病を処置または防止するための医薬として使用するための、請求項７に記載の塩。
【請求項９】
認知増強剤、記憶増強剤、またはコリンエステラーゼ阻害剤の少なくとも１つと組み合わせて、Ａβ関連の病態を処置または防止するための医薬として使用するための、請求項１〜３のいずれか１項に記載の塩。
【請求項１０】
それを必要とする患者においてＡβ関連の病態を処置または防止する方法であって、前記患者に治療有効量の請求項１〜３のいずれか１項に記載の塩を投与することを含む前記方法。
【請求項１１】
前記Ａβ関連の病態が、ダウン症候群、β−アミロイド血管障害、脳アミロイド血管障害、遺伝性脳出血、認知障害に関連する障害、ＭＣＩ（「軽度認知障害」）、アルツハイマー病、物忘れ、アルツハイマー病に関連する注意欠陥症状、アルツハイマー病に関連する神経変性、混合血管起源の認知症、変性起源の認知症、初老期認知症、老年認知症、パーキンソン病に関連する認知症、進行性核上性麻痺、または皮質基底変性症である、請求項１０に記載の方法。
【請求項１２】
それを必要とする患者においてアルツハイマー病を処置または防止する方法であって、前記患者に治療有効量の請求項１〜３のいずれか１項に記載の塩を投与することを含む前記方法。
【請求項１３】
それを必要とする患者においてＡβ関連の病態を処置または防止する方法であって、前記患者に治療有効量の請求項１〜３のいずれか１項に記載の塩、および認知増強剤、記憶増強剤、またはコリンエステラーゼ阻害剤の少なくとも１つを投与することを含む前記方法。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
プロゲステロンを含む経皮吸収型製剤であって、前記プロゲステロンが、中鎖脂肪酸グリコールエステル又はグリセロールエステルで可溶化され、前記可溶化プロゲステロンが、経皮吸収型のパッチに存在する、経皮吸収型製剤。
【請求項２】
前記中鎖脂肪酸グリコールエステル又はグリセロールエステルが、グリセロール、ポリエチレングリコール、若しくはプロピレングリコールの中鎖脂肪酸エステル、又はそれらの混合物であり、前記中鎖脂肪酸は主に、
Ｃ６〜Ｃ１２脂肪酸、
Ｃ６〜Ｃ１０脂肪酸、
Ｃ８〜Ｃ１２脂肪酸、又は
Ｃ８〜Ｃ１０脂肪酸である、請求項１に記載の経皮吸収型製剤。
【請求項３】
前記中鎖脂肪酸グリコールエステル又はグリセロールエステルが、主に飽和している、請求項１又は２に記載の経皮吸収型製剤。
【請求項４】
前記中鎖脂肪酸グリコールエステル又はグリセロールエステルが、Ｃ８〜Ｃ１２飽和脂肪酸を主に含む、請求項３に記載の経皮吸収型製剤。
【請求項５】
非イオン性界面活性剤を更に含む、請求項１に記載の経皮吸収型製剤。
【請求項６】
前記プロゲステロンが、Ｃ８〜Ｃ１０脂肪酸モノグリセリド、ジグリセリド、又はトリグリセリド、及び前記非イオン性界面活性剤で可溶化されている、請求項５に記載の経皮吸収型製剤。
【請求項７】
前記プロゲステロンが、Ｃ８脂肪酸モノグリセリド及びジグリセリド、並びに前記非イオン性界面活性剤で可溶化されている、請求項６に記載の経皮吸収型製剤。
【請求項８】
前記プロゲステロンが、Ｃ８及びＣ１０トリグリセリド並びに非イオン性界面活性剤で可溶化されている、請求項６に記載の経皮吸収型製剤。
【請求項９】
前記非イオン性界面活性剤が、ポリエチレングリコールの脂肪酸エステルを含む、請求項６に記載の経皮吸収型製剤。
【請求項１０】
前記プロゲステロンの1日当たりの投与量が、パッチあたり１０〜１００ｍｇである、請求項１に記載の経皮吸収型製剤。 
【請求項１１】
１７β−エストラジオールを更に含む、請求項１〜９の何れか１項に記載の経皮吸収型製剤。
【請求項１２】
前記１７β−エストラジオールが可溶化されている、請求項１１に記載の経皮吸収型製剤。
【請求項１３】
前記１７β−エストラジオールの１日当たりの投与量が、パッチあたり０．０１〜０．１ｍｇである、請求項１に記載の経皮吸収型製剤。
【請求項１４】
プロゲステロンを含む経皮吸収型製剤であって、前記プロゲステロンが、中鎖脂肪酸グリコールエステル又はグリセロールエステル及び非界面活性剤で可溶化され、前記中鎖脂肪酸グリコールエステル又はグリセロールエステルが、グリセロール、ポリエチレングリコール、若しくはプロピレングリコールの中鎖脂肪酸エステル、又はそれらの混合物であり、前記中鎖脂肪酸は主に飽和された、
Ｃ６〜Ｃ１２脂肪酸、
Ｃ６〜Ｃ１０脂肪酸、
Ｃ８〜Ｃ１２脂肪酸、又は
Ｃ８〜Ｃ１０脂肪酸であり、
前記可溶化プロゲステロンが、経皮パッチ中に存在する、経皮吸収型製剤。
【請求項１５】
前記中鎖脂肪酸グリコールエステル又はグリセロールエステルが、Ｃ８〜Ｃ１２飽和脂肪酸を主に含む、請求項１４に記載の経皮吸収型製剤。
【請求項１６】
請求項1〜９及び請求項１４〜１５の何れか１項に記載の経皮吸収型製剤であって、前記経皮吸収型製剤が、治療を必要とする哺乳類における、プロゲステロン不足状態の少なくとも１種の治療に用いられ、前記治療が、経皮吸収型製剤を有効量で投与することを含む、経皮吸収型製剤。
【請求項１７】
請求項１１又は１２に記載の経皮吸収型製剤であって、前記経皮吸収型製剤が、治療を必要とする哺乳類における、プロゲステロン不足状態の少なくとも１種及びエストロゲン不足状態の少なくとも１種の治療に用いられ、前記治療が、経皮吸収型製剤を有効量で投与することを含む、経皮吸収型製剤。
【請求項１８】
前記プロゲステロン及び１７β−エストラジオールが、周期的順次的方法で投与される、請求項１７に記載の経皮吸収型製剤。
【請求項１９】
前記プロゲステロン及び１７β−エストラジオールが、周期的併用方法で投与される、請求項１７に記載の経皮吸収型製剤。
【請求項２０】
（ｉ）プロゲステロンを約７．１４重量％、１７β−エストラジオールを約０．２９重量％、カプリル酸及びカプリン酸のモノグリセリド／ジグリセリド／トリグリセリド（例えば、Ｃａｐｍｕｌ  ＭＣＭ）を約８２．５７重量％、ラウロイルポリオキシ−３２−グリセリド（例えば、Ｇｅｌｕｃｉｒｅ  ４４／１４）を約１０重量％；
（ｉｉ）プロゲステロンを約７．３４重量％、１７β−エストラジオールを約１．２重量％、及びカプリル酸及びカプリン酸のモノグリセリド／ジグリセリド／トリグリセリド（例えば、Ｃａｐｍｕｌ  ＭＣＭ）を約９１．４６重量％；または
（ｉｉｉ）プロゲステロンを約９．５０重量％、１７β−エストラジオールを約１．２重量％、及びプロピレングリコールモノカプリレート（例えば、Ｃａｐｍｕｌ  ＰＧ８）を約８９．３０重量％；
からなる、請求項１１に記載の経皮吸収型製剤。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
プロゲステロンを、それを必要とする対象に経口投与するための、カプセル化された液体医薬製剤であって、前記製剤が、
単独で活性成分であるプロゲステロンを一定量と、
グリセロールのＣ６〜Ｃ１４脂肪酸モノ−、ジ−、またはトリ−エステルの少なくとも１つを含む担体を２０重量％〜８０重量％と、
非イオン性界面活性剤として、ラウロイルマグロコール−３２グリセリドＥＰと、
を含む、医薬製剤。
【請求項２】
前記プロゲステロンが、少なくとも部分的に可溶化されている、請求項１に記載の医薬製剤。
【請求項３】
前記担体が、少なくとも１つのグリセロールのＣ６〜Ｃ１４脂肪酸モノエステルを含む、請求項１に記載の医薬製剤。
【請求項４】
前記担体が、少なくとも１つのグリセロールのＣ６〜Ｃ１４脂肪酸ジエステルを含む、請求項１に記載の医薬製剤。
【請求項５】
前記担体が、少なくとも１つのグリセロールのＣ６〜Ｃ１４脂肪酸トリエステルを含む、請求項１に記載の医薬製剤。
【請求項６】
前記少なくとも１つのグリセロールのＣ６〜Ｃ１４脂肪酸トリエステルが、第１のＣ６〜Ｃ１４脂肪酸、第２のＣ６〜Ｃ１４脂肪酸、又はそれらの組み合わせを含む、請求項５に記載の医薬製剤。
【請求項７】
前記第１のＣ６〜Ｃ１４脂肪酸が、Ｃ８脂肪酸である、請求項６に記載の医薬製剤。
【請求項８】
前記第２のＣ６〜Ｃ１４脂肪酸が、Ｃ１０脂肪酸である、請求項６又は７に記載の医薬製剤。
【請求項９】
前記担体が、ｍｉｇｌｙｏｌ（登録商標）−８１２である、請求項１〜８のいずれか一項に記載の医薬製剤。
【請求項１０】
前記プロゲステロンの量が、２５ｍｇ〜２００ｍｇである、請求項１〜９のいずれか一項に記載の医薬製剤。
【請求項１１】
前記プロゲステロンの量が、７５ｍｇ又は１５０ｍｇである、請求項１〜１０のいずれか一項に記載の医薬製剤。
【請求項１２】
前記プロゲステロンの量が、プロゲステロンの可溶化された量及びプロゲステロンの懸濁化された量を含む、請求項１〜１１のいずれか一項に記載の医薬製剤。
【請求項１３】
前記製剤が、ゼラチンカプセルで提供される、請求項１〜１２のいずれか一項に記載の医薬製剤。
【請求項１４】
前記製剤が、ピーナッツ油中に懸濁した微粉化プロゲステロンと比較して、高度なプロゲステロンの生体への利用性を提供する、請求項１〜１３のいずれか一項に記載の医薬製剤。
【請求項１５】
前記担体が、グリセロールのＣ６〜Ｃ１４脂肪酸モノ−、ジ−、若しくはトリ−エステル、又は、グリコールのＣ６〜Ｃ１４脂肪酸モノ−若しくはジ−エステルのうちの少なくとも１つを含む、請求項１に記載の医薬製剤。
【請求項１６】
前記製剤が、
７５、１５０、２００、又は３００ｍｇのプロゲステロンと、
Ｃ６〜Ｃ１４トリグリセリドを主に含む担体と、
ラウロイルポリオキシル−３２グリセリド（Ｇｅｌｕｃｉｒｅ（登録商標）−４４／１４）と、
を含む、請求項１に記載の医薬製剤。
【請求項１７】
前記製剤が、
担体を３５重量％〜８０重量％と、
ラウロイルポリオキシル−３２グリセリドを０．５重量％〜３０重量％と、
ブチル化ヒドロキシトルエンを０．０１重量％〜０．１重量％と、
を含む、請求項１６に記載の医薬製剤。
【請求項１８】
子宮内膜増殖症を防止するための医薬の製造のための、請求項１〜１７のいずれか一項に記載の製剤の使用。
【請求項１９】
プロゲステロンの量が、１５０ｍｇである、請求項１８に記載の製剤の使用。
【請求項２０】
無月経の処置のための医薬の製造のための、請求項１〜１７のいずれか一項に記載の製剤の使用。
【請求項２１】
プロゲステロンの量が、３００ｍｇである、請求項２０に記載の製剤の使用。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
可溶化剤と、エストラジオール又はエストラジオール半水和物と、プロゲステロンとを含む医薬組成物であって、
前記可溶化剤が油を含み、前記油が中鎖脂肪酸エステルを含み、中鎖脂肪酸が主にＣ６−Ｃ１２脂肪酸であり、
前記エストラジオール又はエストラジオール半水和物の少なくとも９０％が、前記可溶化剤中に可溶化されており、
前記プロゲステロンが、微粉化され、及び／又は部分的若しくは完全に可溶化されている、医薬組成物。
【請求項２】
前記油が、グリセロール、ポリエチレングリコール、若しくはプロピレングリコール、又はこれらの混合物の中鎖脂肪酸エステルを含む、請求項１に記載の医薬組成物。
【請求項３】
前記油が、主にモノ及びジグリセリドである、又は、主にトリグリセリドである、請求項１又は２に記載の医薬組成物。
【請求項４】
前記脂肪酸が、主に飽和されている、請求項３に記載の医薬組成物。
【請求項５】
請求項１に記載の医薬組成物であって、
エストラジオール又はエストラジオール半水和物を０．１〜０．４重量％、
プロゲステロンを３０〜３５重量％、
主に中鎖脂肪酸モノ及びジグリセリドである油を５５〜７５重量％、及び
非イオン性界面活性剤を０．５〜１０重量％、を含む、医薬組成物。
【請求項６】
請求項１〜５の何れか一項に記載の医薬組成物であって、
エストラジオールを０．２５ｍｇ又はエストラジオール半水和物を０．２６ｍｇ、
プロゲステロンを５０ｍｇ、
カプリル酸及びカプリン酸の、モノグリセリド、ジグリセリド及びトリグリセリド（ＣＡＰＭＵＬ（商標）ＭＣＭ、ＮＦ）を含む可溶化剤を９８．２４ｍｇ、及び
ラウロイルマクロゴール−３２グリセリドＥＰ、ラウロイルポリオキシル−３２グリセリドＮＦ、又はラウロイルポリオキシルグリセリド（ＧＥＬＵＣＩＲＥ（商標）４４／１４）の少なくとも１種を１．５０ｍｇ、を含む医薬組成物。
【請求項７】
請求項１〜５の何れか一項に記載の医薬組成物であって、
エストラジオールを０．５０ｍｇ又はエストラジオール半水和物を０．５２ｍｇ、
プロゲステロンを５０ｍｇ、
カプリル酸及びカプリン酸の、モノグリセリド、ジグリセリド及びトリグリセリド（ＣＡＰＭＵＬ（商標）ＭＣＭ、ＮＦ）を含む可溶化剤を９７．９８ｍｇ、及び
ラウロイルポリオキシル−３２グリセリド（ＧＥＬＵＣＩＲＥ（商標）４４／１４、ＮＦ）を１．５０ｍｇ、を含む医薬組成物。
【請求項８】
請求項１〜５の何れか一項に記載の医薬組成物であって、
エストラジオールを０．５０ｍｇ又はエストラジオール半水和物を０．５２ｍｇ、
プロゲステロンを１００ｍｇ、
カプリル酸及びカプリン酸の、モノグリセリド、ジグリセリド及びトリグリセリド（ＣＡＰＭＵＬ（商標）ＭＣＭ、ＮＦ）を１９６．４８ｍｇ、及び
ラウロイルポリオキシル−３２グリセリド（ＧＥＬＵＣＩＲＥ（商標）４４／１４、ＮＦ）を３．０ｍｇ、を含む医薬組成物。
【請求項９】
請求項１〜５の何れか一項に記載の医薬組成物であって、
エストラジオールを１．００ｍｇ又はエストラジオール半水和物を１．０３ｍｇ、
プロゲステロンを１００ｍｇ、
カプリル酸及びカプリン酸の、モノグリセリド、ジグリセリド及びトリグリセリド（ＣＡＰＭＵＬ（商標）ＭＣＭ、ＮＦ）を１９５．９７ｍｇ、及び
ラウロイルポリオキシル−３２グリセリド（ＧＥＬＵＣＩＲＥ（商標）４４／１４、ＮＦ）を３．０ｍｇ、を含む医薬組成物。
【請求項１０】
請求項１〜５の何れか一項に記載の医薬組成物であって、
エストラジオールを２．００ｍｇ又はエストラジオール半水和物を２．０６ｍｇ、
プロゲステロンを２００ｍｇ、
カプリル酸及びカプリン酸の、モノグリセリド、ジグリセリド及びトリグリセリド（ＣＡＰＭＵＬ（商標）ＭＣＭ、ＮＦ）を３９１．９４ｍｇ、及び
ラウロイルポリオキシル−３２グリセリド（ＧＥＬＵＣＩＲＥ（商標）４４／１４、ＮＦ）を６．０ｍｇ、を含む医薬組成物。
【請求項１１】
前記プロゲステロンの一部が、微粉化及び懸濁化されており、且つ、前記プロゲステロンの一部が可溶化されている、請求項１〜１０の何れか一項に記載の医薬組成物。
【請求項１２】
前記エストラジオール又はエストラジオール半水和物とプロゲステロンとの双方が、前記可溶化剤中に存在している、請求項１〜１１の何れか一項に記載の医薬組成物。
【請求項１３】
頚管長の短縮、閉経に関連する症状、低エストロゲン症又は骨粗鬆症を有する患者の、子宮内膜増殖症、続発性無月経、早産の治療に用いるための、請求項１〜１２の何れか１項に記載の医薬組成物。
【請求項１４】
女性における閉経に関連する症状の治療に用いるための、請求項１３に記載の医薬組成物。
【請求項１５】
女性における低エストロゲン症の治療に用いるための、請求項１３に記載の医薬組成物。
【請求項１６】
女性における、閉経の血管運動症状又は低エストロゲン症の治療に用いるための、請求項１４又は１５に記載の医薬組成物。
【請求項１７】
持続的−併用治療計画又は逐次的併用治療計画として投与される、請求項１３〜１６の何れか一項に記載の医薬組成物。
【請求項１８】
女性におけるホルモン補充療法を作用させるために用いる、請求項１〜１２の何れか一項に記載の医薬組成物。
【請求項１９】
ホルモン補充療法のための経口治療薬の製造のための、（ｉ）可溶化剤、（ｉｉ）エストラジオール又はエストラジオール半水和物及び（ｉｉｉ）プロゲステロンの使用であって、
前記可溶化剤が油を含み、前記油が中鎖脂肪酸エステルを含み、前記中鎖脂肪酸が主にＣ６−Ｃ１２脂肪酸であり、
前記エストラジオール又はエストラジオール半水和物の少なくとも９０％が、前記可溶化剤中に可溶化されており、
前記プロゲステロンが、微粉化され、及び／又は部分的若しくは完全に可溶化されている、使用。
【請求項２０】
頚管長の短縮、閉経に関連する症状、低エストロゲン症又は骨粗鬆症を有する患者の、子宮内膜増殖症、続発性無月経、早産の治療のための治療薬を製造のための、（ｉ）可溶化剤、（ｉｉ）エストラジオール又はエストラジオール半水和物及び（ｉｉｉ）プロゲステロンの使用であって、
前記可溶化剤が油を含み、前記油が中鎖脂肪酸エステルを含み、中鎖脂肪酸が主にＣ６−Ｃ１２脂肪酸であり、
前記エストラジオール又はエストラジオール半水和物の少なくとも９０％が、前記可溶化剤中に可溶化されており、
前記プロゲステロンが、微粉化され、及び／又は部分的若しくは完全に可溶化されている、使用。
【請求項２１】
前記治療が、女性における閉経に関連する症状の治療である、請求項２０に記載の使用。
【請求項２２】
前記治療が、女性における低エストロゲン症の治療である、請求項２０に記載の使用。
【請求項２３】
前記治療が、女性における、閉経の血管運動症状又は低エストロゲン症の治療である、請求項２０に記載の使用。
【請求項２４】
前記治療薬が、請求項２〜１２の何れか一項に記載の医薬組成物である、請求項１９〜２３の何れか一項に記載の使用。
【請求項２５】
前記治療薬が、持続的−併用治療療法又は逐次的併用治療療法として投与される、請求項１９〜２４の何れか一項に記載の使用。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
第１の高密度ポリエチレン（ＨＤＰＥ）樹脂と前記第１のＨＤＰＥ樹脂とは異なる第２のＨＤＰＥ樹脂とを含む、蝶番付きクロージャであって、前記第１のＨＤＰＥ樹脂が、下記の特性：
ａ．約０．５ｄｇ／分から１０ｄｇ／分のメルトインデックス；
ｂ．約０．９４０ｇ／ｃｍ３から０．９６８ｇ／ｃｍ３の密度；および
ｃ．約２５より高いメルトフローレシオ、を有し、
密度測定は、ＡＳＴＭ  Ｄ７９２に従って行われ、メルトインデックス測定は、１９０℃の温度および２.１６ｋｇの負荷で、ＡＳＴＭ  Ｄ１２３８に従って行われ、
前記メルトフローレシオは、メルトインデックスで割ったフローインデックスの比率で定義され、
前記第２のＨＤＰＥ樹脂が、３０よりも小さいメルトフローレシオを有する蝶番付きクロージャ。
【請求項２】
少なくとも前記第１のＨＤＰＥ樹脂が、５０よりも大きいメルトフローレシオを有する請求項１に記載の蝶番付きクロージャ。
【請求項３】
少なくとも前記第１のＨＤＰＥ樹脂が、ゲル浸透クロマトグラフィ（ＧＰＣ）により決定される、２００，０００よりも大きい（ゼータ平均分子量）Ｍｚを有する請求項１に記載の蝶番付きクロージャ。
【請求項４】
少なくとも前記第１のＨＤＰＥ樹脂が、成形蝶番付き付きクロージャを製造するための組成物の約１０から９０重量％である、請求項１に記載の蝶番付きクロージャ。
【請求項５】
さらに高分子加工助剤（ｐｐａ）、すべり成分、核剤、帯電防止剤、および有機または無機の性能促進用添加剤、またはそれらの組み合わせからなる群から選ばれた１つ以上の添加剤を含む、請求項１に記載の蝶番付きクロージャ。
【請求項６】
さらにＨＨＰＡ核剤を含み、前記ＨＨＰＡ核剤が、ヘキサヒドロフタル酸の金属塩である、請求項５に記載の蝶番付きクロージャ。
【請求項７】
本明細書中に記載されているような蝶番耐久性試験において、２００回開閉を行った後も一体性が維持されている請求項１に記載の蝶番付きクロージャ。
【請求項８】
前記クロージャは、射出成形されたものである、請求項１に記載の蝶番付きクロージャ。
【請求項９】
前記蝶番部分は、前記蝶番部分の最小厚さが約０．００１から０．５００インチである請求項１に記載の蝶番付きクロージャ。
【請求項１０】
前記蝶番付き付きクロージャの最大厚みに対する前記蝶番部分の最小厚みの比率が０．９以下である請求項１に記載の蝶番付きクロージャ。
【請求項１１】
ＨＤＰＥ含有蝶番付きクロージャを作成する方法であって、
（ａ）キャビティを有する成形ユニット、および金型コアを有する金型部分を提供するステップと、
（ｂ）前記成形ユニット中に少なくとも第１のＨＤＰＥ樹脂を含む蝶番付きクロージャに成形される組成物を導入するステップと、
（ｃ）前記成形ユニットを閉鎖するステップと、
（ｄ）成形サイクルが終了するまで前記成形ユニット中に導入された組成物を維持することを許容するステップと、
（ｅ）前記成形ユニットを開放して、クロージャを前記金型コアから取り出すステップと、
を含む方法。
【請求項１２】
ＨＤＰＥ含有蝶番付きクロージャを作成する方法であって、
（ａ）射出成形ユニットを有する装置であって、該ユニットはキャビティを有する金型部分、および金型コアを有する金型部分を含む装置を提供するステップと、
（ｂ）前記成形ユニットを閉鎖するステップと、
（ｃ）前記成形ユニット中に少なくとも第１のＨＤＰＥ樹脂を含む蝶番付きクロージャに成形される組成物を導入するステップと、
（ｄ）成形サイクルが終了するまで前記成形ユニット中に導入された組成物を維持することを許容するステップと、
（ｅ）成形ユニットを開放して、クロージャを前記金型コアから取り出すステップと、
を含む方法。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
重合性樹脂組成物と、
親水性親油性バランスが２〜６の範囲である非イオン性非重合性界面活性剤及び任意で重合性界面活性剤（これら界面活性剤は、１０固形分重量％超２５固形分重量％以下の濃度で存在する）と、
低表面エネルギー基及び少なくとも一部が一級ヒドロキシル基であるヒドロキシル基を含む添加剤と、を含む、コーティング組成物。
【請求項２】
重合性樹脂組成物と、
親水性親油性バランスが２〜６の範囲である非イオン性非重合性界面活性剤及び任意で重合性界面活性剤（これら界面活性剤は、１０固形分重量％超２５固形分重量％以下の濃度で存在する）と、
低表面エネルギー基及びヒドロキシル基を含む添加剤であるが、但し、アクリレート基で終端するヒドロキシル置換側鎖を有するポリジメチルシロキサン骨格を有する添加剤からなるものではない添加剤と、を含む、コーティング組成物。
【請求項３】
前記低表面エネルギー基が、フッ素化又はシリコーン部分を含む、請求項１又は２に記載のコーティング組成物。
【請求項４】
前記添加剤が、フリーラジカル重合性添加剤である、請求項１又は２に記載のコーティング組成物。
【請求項５】
前記添加剤のヒドロキシル基の濃度が、約２００〜２０００当量である、請求項１又は２に記載のコーティング組成物。
【請求項６】
前記添加剤が、以下の一般式を有する、請求項１又は２に記載のコーティング組成物：
−［ＭＬ］ｌ−［ＭＯＨ］ｑ−［ＭＡ］ｐ−−［ＭＲ４］ｏ−
（式中、
［ＭＬ］は、低表面エネルギーシリコーン又はフッ素化基を含む１つ以上のエチレン性不飽和モノマーに由来する単位を表し、
［ＭＯＨ］は、１つ以上のエチレン性不飽和モノマー及び少なくとも１つのヒドロキシル基に由来する単位を表し、
［ＭＡ］は、［ＭＯＨ］の残基及びフリーラジカル重合性基を含む単位を表し、
［ＭＲ４］は、アルキル基を含む１つ以上のエチレン性不飽和モノマーに由来する単位を表す）。
【請求項７】
前記添加剤が、以下の一般式によって表され得る、請求項６に記載のコーティング組成物：
−［ＭＬ］ｌ−［ＭＯＨ］ｑ−［ＭＡ］ｐ−−［ＭＲ４］ｏ−［ＭＡＯ］ｎ
（式中、［ＭＡＯ］は、基Ｒ−（Ｏ−Ｒａ）ｊ（式中、Ｒは、６、７、又は８個超の炭素原子を有するアルキル基であり、Ｒａは、独立して、アルキレン基ＣｘＨ２ｘ（式中、ｘ＝２〜４）であり、ｊは、１〜５０である）を有する１つ以上のエチレン性不飽和モノマーに由来する単位を表す）。
【請求項８】
請求項１又は２に記載の硬化コーティング組成物を含む物品。
【請求項９】
以下の一般式によって表されるコポリマー添加剤：
−［ＭＬ］ｌ−［ＭＯＨ］ｑ−［ＭＡ］ｐ−−［ＭＲ４］ｏ−
（式中、ｌ、ｑ、ｐ、及びｏは、それぞれ少なくとも１であり、
［ＭＬ］は、低表面エネルギーシリコーン又はフッ素化基を含む１つ以上のエチレン性不飽和モノマーに由来する単位を表し、
［ＭＯＨ］は、１つ以上のエチレン性不飽和モノマー及び少なくとも１つのヒドロキシル基に由来する単位を表し、
［ＭＡ］は、［ＭＯＨ］の残基及びフリーラジカル重合性基を含む単位を表し、
［ＭＲ４］は、アルキル基を含む１つ以上のエチレン性不飽和モノマーに由来する単位を表す）。
【請求項１０】
前記添加剤が、以下の一般式によって表され得る、請求項９に記載の添加剤：
−［ＭＬ］ｌ−［ＭＯＨ］ｑ−［ＭＡ］ｐ−−［ＭＲ４］ｏ−［ＭＡＯ］ｎ−
（式中、ｌ、ｑ、ｐ、ｏ、及びｎは、それぞれ少なくとも１であり、
［ＭＡＯ］は、基Ｒ−（Ｏ−Ｒａ）ｊ（式中、Ｒは、６、７、又は８個超の炭素原子を有するアルキル基であり、Ｒａは、独立して、アルキレン基ＣｘＨ２ｘ（式中、ｘ＝２〜４）であり、ｊは、１〜５０である）を有する１つ以上のエチレン性不飽和モノマーに由来する単位を表す）。
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
研磨作業を制御する方法であって、
基板の第１層を研磨することと、
研磨中に、インシトゥ光学モニタシステムを用いて、測定スペクトルの経時配列を取得することと、
測定スペクトルの配列からの各測定スペクトルについて、前記測定スペクトルに光学モデルを適合させることであって、前記適合させることは、前記光学モデルの出力スペクトルと前記測定スペクトルとの間の差が最小限となるパラメータを見つけることを含み、前記光学モデルは反復構造の次元を含み、前記適合させることは、前記反復構造の回折効果を使用して出力スペクトルを計算することを含み、前記パラメータは終点パラメータと、前記反復構造のパラメータを含み、前記適合させることによって、適合された終点パラメータ値の配列が生成され、前記適合された終点パラメータ値の配列の各終点パラメータ値は、前記測定スペクトルの配列のうちの前記スペクトルの一つに関連づけられる、適合させることと、
前記適合された終点パラメータ値の配列から、研磨終点、又は前記基板への圧力調節のうちの少なくとも一つを判断することと
を含む方法。
【請求項２】
前記終点パラメータが前記第１層の厚さを含む、請求項１に記載の方法。
【請求項３】
前記反復構造の前記パラメータが前記反復構造の幅、又はピッチのうちの少なくとも一つを含む、請求項２に記載の方法。
【請求項４】
前記反復構造は反復ラインを含み、研磨終点又は圧力の調節のうちの少なくとも一つを判断することは前記ラインの抵抗を決定することを含む、請求項３に記載の方法。
【請求項５】
前記ラインの抵抗を決定することは、前記ライン幅の値に前記厚さの値を乗じることを含む、請求項４に記載の方法。
【請求項６】
前記反復構造の前記パラメータは、前記反復構造の材料組成、屈折率、又は吸光係数のうちの少なくとも一つを含む、請求項２に記載の方法。
【請求項７】
前記反復構造は反復ラインを含み、前記反復構造はラインピッチ又はライン幅のうちの少なくとも一つを含む、請求項１に記載の方法。
【請求項８】
前記反復構造は２次元の特徴を含み、前記反復構造の前記パラメータは特徴のピッチ、特徴の形状、又は前記特徴が占める面積の割合のうちの少なくとも一つを含む、請求項１に記載の方法。
【請求項９】
前記光学モデルは、第１反復構造を有する前記基板の領域を表す第１サブモデルと、異なる第２反復構造を有する前記基板の領域を表す第２サブモデルとを含み、前記出力スペクトルを計算することは、前記第１反復構造の回折効果を使用して第１中間出力スペクトルを計算することと、前記第２反復構造の回折効果を使用して第２中間出力スペクトルを計算することと、前記第１中間出力スペクトルと前記第２中間出力スペクトルとを結合させることを含む、請求項１に記載の方法。
【請求項１０】
適合させることは、前記光学モデルの出力スペクトルと前記測定スペクトルとの間の差が最小限となる前記第１中間出力スペクトルと前記第２中間出力スペクトルの寄与率を計算することを含む、請求項９に記載の方法。
【請求項１１】
前記反復構造の回折効果を使用して前記出力スペクトルを計算することは、第１偏光に対して第１出力スペクトルを計算することと、異なる第２偏光に対して第２出力スペクトルを計算することと、前記第１出力スペクトルと前記第２出力スペクトルとを結合させて前記出力スペクトルを生成することとを含む、請求項１に記載の方法。
【請求項１２】
前記第１出力スペクトルと前記第２出力スペクトルとを結合させることは、前記第１出力スペクトルと前記第２出力スペクトルとを平均化することを含む、請求項１１に記載の方法。
【請求項１３】
前記第１偏光がｓ偏光であり、前記第２偏光がｐ偏光である、請求項１１に記載の方法。
【請求項１４】
前記反復構造の回折効果を使用して前記出力スペクトルを計算することは、ｓ偏光及びｐ偏光の間の４５度の角度の偏光に対して前記出力スペクトルを計算することを含む、請求項１に記載の方法。
【請求項１５】
研磨作業を制御するためのコンピュータプログラム製品であって、コンピュータ可読媒体に有形で具現化され、プロセッサに：
基板の第１層の研磨中に、インシトゥ光学モニタシステムから測定スペクトルの経時配列を受け取らせる指示と、
測定スペクトルの配列からの各測定スペクトルについて、前記測定スペクトルに光学モデルを適合させる指示であって、前記適合させる指示は、前記光学モデルの出力スペクトルと前記測定スペクトルとの間の差が最小限となるパラメータを見つけさせる指示を含み、前記光学モデルは反復構造の次元を含み、前記適合させる指示は、前記反復構造の回折効果を使用して出力スペクトルを計算させる指示を含み、前記パラメータは終点パラメータと、前記反復構造のパラメータを含み、前記適合させる指示によって、適合された終点パラメータ値の配列が生成され、前記適合された終点パラメータ値の配列の各終点パラメータ値は、前記測定スペクトルの配列のうちの前記スペクトルの一つに関連づけられる、適合させる指示と、
前記適合された終点パラメータ値の配列から、研磨終点、又は前記基板への圧力調節のうちの少なくとも一つを判断させる指示と
を含む、コンピュータプログラム製品。